(57)【要約】【課題】従来の固形物入り飲料水缶は、飲み口のプルトップ開口部と飲み口縁の段差部に飲料固形物が引っかかり、液体飲料を飲み終わっても飲料固形物が残ってしまい、とても飲みにくい固形物入り飲料水缶であった。【解決手段】筒状の胴部１と、当該胴部と接続する下面の底部３と、当該胴部の上面と接続した飲み口２を有する天板部５とを備えた飲料水缶において、筒状の当該胴部に内面突起部６を設けたことを特徴とし、当該内面突起部は、当該天板部の当該飲み口に近い位置の当該胴部内面に形成されており、天板部の中心点１９より当該飲み口への天板部の直径線上２０における当該胴部の外周縦軸線２１を中心に構成され、当該突起部は飲み口縁高さ１６を上回る突起高さ１７を持ち、当該飲み口開口幅１８を上回る幅を形成したことにより、プルトップ開口部における飲み口縁の段差１０を飛び越えて、当該飲み口縁の段差に引っかからないで飲食できる、飲みやすい飲料水缶である。【選択図】図４
2007153441.tif 000002
【特許請求の範囲】
【請求項１】
筒状の胴部と、当該胴部と接続する下面の底部と、当該胴部の上面と接続した飲み口を有する天板部とを備えた飲料水缶において、当該胴部の内面に飲み口縁高さを上回る突起高さを持った突起部を設けたことを特徴とする飲料水缶。
【請求項２】
前記突起部は、前記天板部の飲み口に近い位置の前記胴部内面に形成されており、天板部の中心点より前記飲み口への天板部の直径線上における胴部の外周縦軸線を中心に構成され、当該突起部は飲み口縁高さを上回る突起高さを持ち、飲み口開口幅を上回る幅を形成したことを特徴とする請求項１に記載の飲料水缶。
【請求項３】
前記突起部は、当該突起部上にさらなる小突起部を複数体形成し、当該小突起は液体飲料内の飲料固形物より小さい突起形状としたことを特徴とする請求項１〜２に記載の飲料水缶。
【請求項４】
前記突起部および前記小突起は、缶製造時にプレス成形により形成されていることを特徴とする請求項１〜３に記載の飲料水缶。
【請求項５】
前記突起部は、飲料時に缶側面の指圧にて内面突起の形成ができることを特徴とする請求項１〜４に記載の飲料水缶。
【発明の詳細な説明】
【技術分野】
【０００１】  本発明は、液体飲料内の飲料固形物がスムーズに飲める構造とした、飲みやすい固形物入り飲料水缶に関するものである。
【背景技術】
【０００２】  従来、固形物入り飲料水缶は、一般の液体飲料水缶に比べ飲み口を大きくして固形物入り飲料水を飲みやすくしている物がある。【０００３】  飲みやすい飲料用の缶として登録実用新案第３０１８２２０号が公知となっており、缶内部に仕切り板を設けた構成で、飲料水と果肉などの固形物の量を調整しながら飲むことのできる、具入りのスープや果肉入りジュースが飲みやすい飲料用の缶の考案となっている。【０００４】  また、発明及び考案の目的、機能は本発明とは異なるが、飲料水缶にあって缶本体の一部形状の変化において、各発明及び各考案の目的を達成しようとしているものを以下に記載する。【０００５】  例えば、飲み口を視認しなくても手の感覚で飲み口が確認できる飲料水缶として、飲料水缶の飲み口側の胴部表面に凹凸面を形成するものとして、特許公開２００３−４０２６４号、特許公開平１０年−３１０１４６号、登録実用新案第３１００１４７号、登録実用新案第３０９０７７３号、登録実用新案第３０６２３７９号が公知となっており、凹凸面が小さい点字や突部が飲料缶外部に構成されている。【０００６】  さらに、飲料水缶の側面にふくらみを設け、飲み口を視認しなくても手の感覚で飲み口が確認できる飲料水缶として、また、転倒した場合の飲料水のこぼれや飲み口の汚れ防止を目的として、特許公開平１０年−３０５８３５号が公知となっており、突部が飲料缶外部に構成されている。【０００７】  また、飲料水缶にあって回転して飲料が攪拌されやすい形状として、飲料水缶の内面に突部を形成するものとして、特許公開平９年−２４６７号が公知となっている。
【発明の開示】
【発明が解決しようとする課題】
【０００８】  しかしながら、上述した従来の固形物入り飲料水缶でも、第２図に示したとおり、飲み口のプルトップ開口部と飲み口縁の段差部に飲料固形物が引っかかり、液体飲料を飲み終わっても飲料固形物が残ってしまう問題点を有している。【０００９】  飲料水缶にあって缶本体の一部形状の変化において突部を形成するものも、缶外突起および缶内突起の段差に飲料固形物が引っかかり、液体飲料を飲み終わっても飲料固形物が残ってしまう問題点を有している。【００１０】  また、上述した飲料固形物が残ってしまう問題点により、舌で取り出し飲食しようとする行為により、舌先の負傷の危険性も誘発する問題がある。【００１１】本発明は、このような課題に鑑みてなされたものであり、液体飲料内の飲料固形物がスムーズに飲み口に移動し、プルトップ開口部と飲み口縁の段差部に引っかからないで飲食できる、飲みやすい固形物入り飲料水缶を提供するものである。
【課題を解決するための手段】
【００１２】  上記目的を達成すべく請求項１の飲料水缶は、筒状の胴部と、当該胴部と接続する下面の底部と、当該胴部の上面と接続した飲み口を有する天板部とを備えた飲料水缶において、前記胴部の内面に飲み口縁高さを上回る突起高さを持った突起部を設けたことにより、液体飲料内の飲料固形物がスムーズに飲み口に移動し、プルトップ開口部と飲み口縁の段差に引っかからないで飲食できる。【００１３】  請求項２の飲料水缶において、前記突起部は、前記天板部の飲み口に近い位置の前記胴部内面に形成されており、当該天板部の中心点より当該飲み口への天板部の直径線上における当該胴部の外周縦軸線を中心に構成され、当該突起部は飲み口縁高さを上回る突起高さを持ち、当該飲み口開口幅を上回る幅を形成したことにより、プルトップ開口部における飲み口縁の段差を飛び越えて、飲み口縁の段差に引っかからないで飲食できる。【００１４】  請求項３の飲料水缶において、前記突起部は、当該突起部上にさらなる小突起部を複数体形成し、当該小突起は液体飲料内の飲料固形物より小さい突起形状としたことにより、液体飲料内の飲料固形物がスムーズに飲み口に移動し飲食できる。【００１５】  請求項４の飲料水缶において、前記突起部および前記小突起は、缶製造時にプレス成形により形成されていることにより、液体飲料内の飲料固形物がスムーズに飲み口に移動し飲食できる。【００１６】  請求項５の飲料水缶において、前記突起部は、飲料時に缶側面の指圧にて内面突起の形成ができることにより、液体飲料内の飲料固形物がプルトップ開口部における飲み口縁の段差を飛び越えて、飲み口縁の段差に引っかからないで飲食できる。
【発明の効果】
【００１７】  以上説明したように、本発明に係わる飲料水缶は、缶を傾けて飲食する場合、複数の内面小突起で飲料固形物の接触面積が少なくなり滑らかな移動が確保でき、液体飲料内の飲料固形物が胴部の内面部を滑りながら天板部の飲み口へと進み、飲み口に近い位置の胴部内面に形成された内面突起部を乗り越えることにより、プルトップ開口部における飲み口縁の段差を飛び越えて、飲み口縁の段差に引っかからないで飲食できる効果を有する。
【発明を実施するための最良の形態】
【００１８】  以下、添付図面を参照して本発明の飲みやすい固形物入り飲料水缶にかかる実施の形態について詳細に説明する。【００１９】  図１は従来の一般的なプルタブ式の飲料固形物入り飲料水缶の斜視図、図２は従来の一般的なプルタブ式の飲料固形物入り飲料水缶の使用状態を示す断面図である。図１に示すように、筒状の胴部１と、当該胴部と接続する下面の底部３と、当該胴部の上面と接続した飲み口２を有する天板部５とを備えた飲料水缶において、図２に示す当該飲み口のプルトップ開口部の飲み口縁の段差部１０に固形物７が引っかかり、飲料液体８を飲み終わっても堆積固形物９が残ってしまう問題点を有している。【００２０】  図３は本発明の係わる一実施例の飲料水缶の正面斜視図、図４は本発明の係わる一実施例の飲料水缶の側面斜視図、図５は本発明の係わる一実施例の飲料水缶の断面図、図６は本発明の一実施例に係わる飲料水缶の使用状態を示す断面図である。同図に示すように、筒状の胴部１と、当該胴部と接続する下面の底部３と、当該胴部の上面と接続した飲み口２を有する天板部５とを備えた飲料水缶において、当該胴部に内面突起部６を設けたことを特徴とし、当該天板部の当該飲み口に近い位置の当該胴部内面に当該突起部が形成されており、天板部の中心点１９より当該飲み口への天板部の直径線２０上における胴部の外周縦軸線２１を中心に構成され、当該突起は飲み口縁高さ１６を上回る突起高さ１７を持ち、飲み口の開口幅１８を上回る幅を設けた飲料水缶である。【００２１】  図７は本発明の請求項５の一実施例に係わる飲料水缶で、図７（ａ）は正面斜視図である。図７（ｂ）は断面図である。図７（ｃ）は側面斜視図である。同図に示すように、筒状の胴部１と、当該胴部と接続する下面の底部３と、当該胴部の上面と接続した飲み口２を有する天板部５とを備えた飲料水缶において、事前変形補助加工部１１を設けたことを特徴とし、飲料時に缶側面の指圧１３にて内面突起の形成部１２を形成されることを特徴とする飲料水缶である。【００２２】  図８は本発明の請求項５の一実施例に係わる飲料水缶で、図８（ａ）は飲料時前の缶側面の指圧１３を押さえる前の斜視図である。図８（ｂ）は飲料時前の缶側面の指圧１３を押さえている状態の斜視図である。図８（ｃ）は飲料時前の缶側面の指圧１３を押さえ終わった斜視図である。同図に示すように、筒状の胴部１と、当該胴部と接続する下面の底部３と、当該胴部の上面と接続した飲み口２を有する天板部５とを備えた飲料水缶において、事前変形補助加工部１１を設けたことを特徴とし、飲料時に缶側面の指圧１３にて内面突起の形成部１２を形成されることを特徴とする飲料水缶である。【００２３】  図９は本発明の請求項３の一実施例に係わる飲料水缶で、図９（ａ）は正面斜視図である。図９（ｂ）は断面図である。図９（ｃ）は側面斜視図である。同図に示すように、筒状の胴部１と、当該胴部と接続する下面の底部３と、当該胴部の上面と接続した飲み口２を有する天板部５とを備えた飲料水缶において、当該胴部に内面突起部６と内面小突起部２４を設けたことを特徴とし、当該内面小突起部は、天板部の中心点１９より当該飲み口への天板部の直径線２０上における当該胴部の外周縦軸線２１を中心に形成されており、当該内面小突起部は、液体飲料８内の飲料固形物７より小さい当該内面小突起部を複数体設けたことを特徴とする飲料水缶である。【００２４】  図１０は図９に示した本発明の一実施例に係わる飲料水缶の使用状態を示す断面図である。同図に示すように、筒状の胴部１と、当該胴部と接続する下面の底部３と、当該胴部の上面と接続した飲み口２を有する天板部５とを備えた飲料水缶において、缶を傾けて飲食する場合、複数の内面小突起２４で飲料固形物７の接触面積が少なくなり滑らかな移動が確保でき、液体飲料８内の当該飲料固形物が当該胴部の内面部を滑りながら当該天板部の当該飲み口へと進み、当該飲み口に近い位置の当該胴部内面に形成された内面突起部６を乗り越えることにより、プルトップ開口部における飲み口縁の段差１０を飛び越えて、当該飲み口縁の段差に引っかからないで飲食できる飲料水缶である。【００２５】  図１１は本発明に係わる一実施例の飲料水缶で、図１１（ａ）は正面斜視図である。図１１（ｂ）は断面図である。図１１（ｃ）は側面斜視図である。同図に示すように、筒状の胴部１と、当該胴部と接続する下面の底部３と、当該胴部の上面と接続した飲み口２を有する天板部５とを備えた飲料水缶において、当該胴部に内面突起部６を設けたことを特徴とし、当該天板部の当該飲み口に近い位置の当該胴部内面に当該突起部が形成されており、天板部の中心点１９より当該飲み口への天板部の直径線２０上における胴部の外周縦軸線２１を中心に構成され、当該突起は飲み口縁高さ１６を上回る突起高さ１７を持ち、飲み口の開口幅１８を上回る幅を設けた飲料水缶である。【００２６】  図１２は図１１に示した本発明の一実施例に係わる飲料水缶の使用状態を示す断面図である。同図に示すように、筒状の胴部１と、当該胴部と接続する下面の底部３と、当該胴部の上面と接続した飲み口２を有する天板部５とを備えた飲料水缶において、缶を傾けて飲食する場合、液体飲料８内の当該飲料固形物が当該胴部の内面部を滑りながら当該天板部の当該飲み口へと進み、当該飲み口に近い位置の当該胴部内面に形成された内面突起部６を乗り越えることにより、プルトップ開口部における飲み口縁の段差１０を飛び越えて、当該飲み口縁の段差に引っかからないで飲食できる飲料水缶である。【００２７】  図１３は本発明に係わる一実施例の飲料水缶で、図１３（ａ）は正面斜視図である。図１３（ｂ）は断面図である。図１３（ｃ）は側面斜視図である。同図に示すように、筒状の胴部１と、当該胴部と接続する下面の底部３と、当該胴部の上面と接続した飲み口２を有する天板部５とを備えた飲料水缶において、当該胴部に内面突起部６を設けたことを特徴とし、当該天板部の外周に当該胴部内面に当該突起部が形成されており、当該突起は飲み口縁高さ１６を上回る突起高さ１７を設けた飲料水缶である。【００２８】  図１４は図１３に示した本発明の一実施例に係わる飲料水缶の使用状態を示す断面図である。同図に示すように、筒状の胴部１と、当該胴部と接続する下面の底部３と、当該胴部の上面と接続した飲み口２を有する天板部５とを備えた飲料水缶において、缶を傾けて飲食する場合、液体飲料８内の当該飲料固形物が当��胴部の内面部を滑りながら当該天板部の当該飲み口へと進み、当該胴部内面に形成された内面突起部６を乗り越えることにより、プルトップ開口部における飲み口縁の段差１０を飛び越えて、当該飲み口縁の段差に引っかからないで飲食できる飲料水缶である。【００２９】  図１５は本発明に係わる内面突起部６の役割効果を示す模式図である。同図に示すように、当該内面突起部は飲み口縁高さ１６を上回る突起高さを持ち、飲み口の開口幅１８を上回る幅を形成し、缶を傾けて飲食する場合、筒状の胴部１内面に形成された当該内面突起部を内面突起部乗り越え矢印２５および内面突起部回り込み矢印２６ごとく当該内面突起部を乗り越える液体飲料および飲料固形物と当該内面突起部を左右に回り込む液体飲料および飲料固形物が当該飲み口縁高さの段差部で合流して、掻き混ぜた状態で当該飲み口縁高さの段差飛び越え矢印２７ごとく当該飲み口縁高さを飛び越えて飲み口縁の段差に引っかからないで飲食できる効果を有する。
【図面の簡単な説明】
【００３０】
【図１】従来の一般的なプルタブ式の固形物入り飲料水缶の斜視図である。
【図２】図１に示した従来の一般的なプルタブ式の固形物入り飲料水缶の使用状態を示す断面図である。
【図３】本発明の係わる一実施例の飲料水缶の正面斜視図である。
【図４】本発明の係わる一実施例の飲料水缶の側面斜視図である。
【図５】本発明の係わる一実施例の飲料水缶の断面図である。
【図６】図３〜図５に示した本発明の一実施例に係わる飲料水缶の使用状態を示す断面図である。
【図７】本発明に係わる一実施例の飲料水缶の図７（ａ）は正面斜視図である。図７（ｂ）は断面図である。図９（ｃ）は側面斜視図である。
【図８】本発明の請求項５の一実施例に係わる飲料水缶の図８（ａ）は飲料時前の缶側面の指圧１３を押さえる前の斜視図である。図８（ｂ）は飲料時前の缶側面の指圧１３を押さえている状態の斜視図である。図８（ｃ）は飲料時前の缶側面の指圧１３を押さえ終わった斜視図である。
【図９】本発明に係わる一実施例の飲料水缶の図９（ａ）は正面斜視図である。図９（ｂ）は断面図である。図９（ｃ）は側面斜視図である。
【図１０】図９に示した本発明の一実施例に係わる飲料水缶の使用状態を示す断面図である。
【図１１】本発明に係わる一実施例の飲料水缶の図１１（ａ）は正面斜視図である。図１１（ｂ）は断面図である。図１１（ｃ）は側面斜視図である。
【図１２】図１１に示した本発明の一実施例に係わる飲料水缶の使用状態を示す断面図である。
【図１３】本発明に係わる一実施例の飲料水缶の図１３（ａ）は正面斜視図である。図１３（ｂ）は断面図である。図１３（ｃ）は側面斜視図である。
【図１４】図１３に示した本発明の一実施例に係わる飲料水缶の使用状態を示す断面図である。
【図１５】本発明に係わる内面突起部６の役割効果を示す模式図である。
【符号の説明】
【００３１】    １  胴部
２  飲み口
３  底部
４  プルタブ
５  天板部
６  内面突起部
７  飲料固形物
８  液体飲料
９  堆積固形物
１０  飲み口縁の段差部
１１  事前変形補助加工部
１２  内面突起の形成部
１３  缶側面の指圧
１４  中指
１５  突起形成補助加工ライン
１６  飲み口縁高さ
１７  突起高さ
１８  飲み口開口幅
１９  天板部の中心点
２０  天板部の直径線
２１  胴部の外周縦軸線
２２  手
２３  親指
２４  内面小突起部
２５  内面突起部乗り越え矢印
２６  内面突起部回り込み矢印
２７  飲み口縁高さの段差飛び越え矢印
【図１】
2007153441.tif 000003
【図２】
2007153441.tif 000004
【図３】
2007153441.tif 000005
【図４】
2007153441.tif 000006
【図５】
2007153441.tif 000007
【図６】
2007153441.tif 000008
【図７】
2007153441.tif 000009
【図８】
2007153441.tif 000010
【図９】
2007153441.tif 000011
【図１０】
2007153441.tif 000012
【図１１】
2007153441.tif 000013
【図１２】
2007153441.tif 000014
【図１３】
2007153441.tif 000015
【図１４】
2007153441.tif 000016
【図１５】
2007153441.tif 000017